(57)【要約】【課題】ラップフィルムを容易に切断可能としつつ、切断部を容易に収容する。【解決手段】ラップフィルム用箱２は、ラップフィルム３２を収容する箱体５と、箱体５の開口部５ａを覆う蓋体６と、ラップフィルム３２を切断するための第１切断部４１と、を備える。蓋体６は、箱体５の開口縁５ｂのうち、後壁部５３の上端縁に揺動可能に連結され、開口部５ａを覆う蓋本体部６１と、蓋本体部６１の端縁６１ｂに連結され、蓋本体部６１によって開口部５ａが覆われたときに箱体５の外面に重ねられる蓋側重なり部６２とを有する。第１切断部４１は、蓋側重なり部６２の端縁６２ｂの一方の端部に設けられる。蓋側重なり部６２が重ねられる前壁部５２には、第１切断部４１が差し込まれるスリットＳ１が設けられている。【選択図】図１
2019182462.tif 000002
【特許請求の範囲】
【請求項１】
巻芯に巻き回されたラップフィルムを収容するラップフィルム用箱であって、
開口部を有し、前記ラップフィルムを収容する箱体と、
前記箱体の前記開口部を覆う蓋体と、
前記ラップフィルムを切断するための切断部と、
を備え、
前記蓋体は、
前記箱体の開口縁のうち前記箱体に収容される前記ラップフィルムの前記巻芯の軸線に沿った部位に揺動可能に連結され、前記開口部を覆う蓋本体部と、
前記蓋本体部における前記箱体に連結される側とは反対側の端縁に連結され、前記蓋本体部によって前記開口部が覆われたときに前記箱体の外面に重ねられる蓋側重なり部と、
を有し、
前記切断部は、前記蓋側重なり部における前記蓋本体部に連結される側とは反対側の端縁に設けられるとともに、当該端縁における前記巻芯の軸線に沿った方向の一方の端部に設けられ、
前記箱体における前記蓋側重なり部が重ねられる部位である箱側重なり部には、前記蓋側重なり部が重ねられたときに前記切断部を収容する収容部が設けられている、ラップフィルム用箱。
【請求項２】
前記箱側重なり部には、前記切断部を前記箱体の内部に向けて差し込み可能なスリットが設けられ、
前記収容部は、前記スリットが設けられた前記箱体によって構成されている、請求項１に記載のラップフィルム用箱。
【請求項３】
前記箱側重なり部に対向するように配置され、前記箱側重なり部との間に前記切断部を差し込み可能な壁部を備え、
前記収容部は、前記壁部及び前記箱側重なり部によって構成されている、請求項１に記載のラップフィルム用箱。
【請求項４】
巻芯に巻き回されたラップフィルムを収容するラップフィルム用箱であって、
開口部を有し、前記ラップフィルムを収容する箱体と、
前記箱体の前記開口部を覆う蓋体と、
前記ラップフィルムを切断するための切断部と、
を備え、
前記蓋体は、
前記箱体の開口縁のうち前記箱体に収容される前記ラップフィルムの前記巻芯の軸線に沿った部位に揺動可能に連結され、前記開口部を覆う蓋本体部と、
前記蓋本体部における前記箱体に連結される側とは反対側の端縁に連結され、前記蓋本体部によって前記開口部が覆われたときに前記箱体の外面に重ねられる蓋側重なり部と、
を有し、
前記切断部は、第１切断部と、第２切断部と、を有し、
前記第１切断部及び前記第２切断部は、前記蓋側重なり部における前記蓋本体部に連結される側とは反対側の端縁に設けられるとともに、当該端縁における前記巻芯の軸線に沿った方向の両端部にそれぞれ設けられ、
前記箱体における前記蓋側重なり部が重ねられる部位である箱側重なり部には、前記蓋側重なり部が重ねられたときに前記第１切断部及び前記第２切断部をそれぞれ収容する第１収容部及び第２収容部が設けられている、ラップフィルム用箱。
【請求項５】
前記箱側重なり部には、前記第１切断部を前記箱体の内部に向けて差し込み可能な第１スリット、及び前記第２切断部を前記箱体の内部に向けて差し込み可能な第２スリットが設けられ、
前記第１収容部及び前記第２収容部は、前記第１スリット及び前記第２スリットが設けられた前記箱体によって構成されている、請求項４に記載のラップフィルム用箱。
【請求項６】
前記箱側重なり部に対向するように配置され、前記箱側重なり部との間に前記第１切断部を差し込み可能な第１壁部と、
前記箱側重なり部に対向するように配置され、前記箱側重なり部との間に前記第２切断部を差し込み可能な第２壁部と、
を備え、
前記第１収容部は、前記第１壁部及び前記箱側重なり部によって構成され、
前記第２収容部は、前記第２壁部及び前記箱側重なり部によって構成されている、請求項４に記載のラップフィルム用箱。
【請求項７】
前記切断部は、前記蓋側重なり部よりも硬い材質によって形成され、前記蓋側重なり部に固定されている、請求項１〜６のいずれか一項に記載のラップフィルム用箱。
【請求項８】
前記切断部は、前記蓋側重なり部の前記端縁に形成された前記ラップフィルムを切断するための切断構造によって構成されている、請求項１〜６のいずれか一項に記載のラップフィルム用箱。
【請求項９】
巻芯と、
前記巻芯に巻き回されたラップフィルムと、
前記巻芯及び前記ラップフィルムを収容する、請求項１〜８のいずれか一項に記載のラップフィルム用箱と、
を備えるラップフィルム収容体。
【発明の詳細な説明】
【技術分野】
【０００１】
本発明は、ラップフィルム用箱、及びラップフィルム収容体に関する。
【背景技術】
【０００２】
例えば、ロール状に巻き回されたラップフィルムが収容されたラップフィルム収容体がある。このようなラップフィルム収容体が、例えば特許文献１に記載されている。特許文献１に記載されたラップフィルム収容体は、ラップフィルムを収容する箱体と、箱体の開口部を覆う蓋体とを備えている。また、蓋体の端部には、ラップフィルムの巻芯の軸線に沿った方向の全域にわたって延在する鋸刃状の切断部が設けられている。切断部は、ラップフィルム用箱から引き出されたラップフィルムを切断する。
【先行技術文献】
【特許文献】
【０００３】
【特許文献１】特開２０１３−２８４０２号公報
【発明の概要】
【発明が解決しようとする課題】
【０００４】
ここで、例えばラップフィルム収容体を持ち運ぶ等の場合、切断部が他の物に引っかかることがある。このため、切断部が他の物に触れないように収容部に収容することが考えられる。しかしながら、特許文献１に記載されたラップフィルム収容体では、蓋体に対してラップフィルムの巻芯の軸線に沿った方向の全域にわたって切断部が設けられており、切断部の大きさが大きい。このため、このラップフィルム収容体においては、大きな切断部を収容することが困難となっている。
【０００５】
そこで、本発明の一側面は、ラップフィルムを容易に切断可能としつつ、切断部を容易に収容可能なラップフィルム用箱、及びラップフィルム収容体を提供することを目的とする。
【課題を解決するための手段】
【０００６】
本発明の一側面は、巻芯に巻き回されたラップフィルムを収容するラップフィルム用箱であって、開口部を有し、ラップフィルムを収容する箱体と、箱体の開口部を覆う蓋体と、ラップフィルムを切断するための切断部と、を備え、蓋体は、箱体の開口縁のうち箱体に収容されるラップフィルムの巻芯の軸線に沿った部位に揺動可能に連結され、開口部を覆う蓋本体部と、蓋本体部における箱体に連結される側とは反対側の端縁に連結され、蓋本体部によって開口部が覆われたときに箱体の外面に重ねられる蓋側重なり部と、を有し、切断部は、蓋側重なり部における蓋本体部に連結される側とは反対側の端縁に設けられるとともに、当該端縁における巻芯の軸線に沿った方向の一方の端部に設けられ、箱体における蓋側重なり部が重ねられる部位である箱側重なり部には、蓋側重なり部が重ねられたときに切断部を収容する収容部が設けられている。
【０００７】
このラップフィルム用箱は、蓋体における箱体に連結される側とは反対側の端縁のうち、巻芯の軸線に沿った方向の一方の端部に切断部が設けられている。これにより、使用者は、ラップフィルム用箱からラップフィルムを引き出して切断するときに、切断部によってラップフィルムの幅方向の一方の端部に切り込みを入れ、この切り込みを起点としてラップフィルムを切断できる。このように、蓋体の端部に設けられた切断部によってラップフィルムの端部に切り込みを入れることができるため、ラップフィルム用箱は、ラップフィルムを容易に切断できる。また、切断部は、蓋体における箱体に連結される側とは反対側の端縁の一部分にのみ設けられている。このため、巻芯の軸線に沿って蓋側重なり部の端縁全体に切断部が設けられている場合に比べて、切断部の大きさが小さくなる。従って、収容部は、切断部を容易に収容できる。以上のように、ラップフィルム用箱は、ラップフィルムを容易に切断可能としつつ、切断部を容易に収容できる。
【０００８】
ラップフィルム用箱において、箱側重なり部には、切断部を箱体の内部に向けて差し込み可能なスリットが設けられ、収容部は、スリットが設けられた箱体によって構成されていてもよい。この場合、収容部は、スリットを用いて切断部を容易に収容できる。
【０００９】
ラップフィルム用箱は、箱側重なり部に対向するように配置され、箱側重なり部との間に切断部を差し込み可能な壁部を備え、収容部は、壁部及び箱側重なり部によって構成されていてもよい。この場合、収容部は、切断部が箱体内に突出することなく、切断部を収容できる。
【００１０】
本発明の他の一側面は、巻芯に巻き回されたラップフィルムを収容するラップフィルム用箱であって、開口部を有し、ラップフィルムを収容する箱体と、箱体の開口部を覆う蓋体と、ラップフィルムを切断するための切断部と、を備え、蓋体は、箱体の開口縁のうち箱体に収容されるラップフィルムの巻芯の軸線に沿った部位に揺動可能に連結され、開口部を覆う蓋本体部と、蓋本体部における箱体に連結される側とは反対側の端縁に連結され、蓋本体部によって開口部が覆われたときに箱体の外面に重ねられる蓋側重なり部と、を有し、切断部は、第１切断部と、第２切断部と、を有し、第１切断部及び第２切断部は、蓋側重なり部における蓋本体部に連結される側とは反対側の端縁に設けられるとともに、当該端縁における巻芯の軸線に沿った方向の両端部にそれぞれ設けられ、箱体における蓋側重なり部が重ねられる部位である箱側重なり部には、蓋側重なり部が重ねられたときに第１切断部及び第２切断部をそれぞれ収容する第１収容部及び第２収容部が設けられている。
【００１１】
このラップフィルム用箱は、蓋体における箱体に連結される側とは反対側の端縁のうち、巻芯の軸線に沿った方向の両端部にそれぞれ第１切断部及び第２切断部が設けられている。これにより、使用者は、ラップフィルム用箱からラップフィルムを引き出して切断するときに、第１切断部又は第２切断部によってラップフィルムの幅方向のいずれか一方の端部に切り込みを入れ、この切り込みを起点としてラップフィルムを切断できる。第１切断部及び第２切断部が設けられているため、使用者は、利き手、ひねりの向き、種々の状況等に応じて第１切断部及び第２切断部のいずれかを用いてラップフィルムの幅方向の一方の端部に切り込みを入れることができる。このように、第１切断部又は第２切断部によってラップフィルムの端部に切り込みを入れることができるため、ラップフィルム用箱は、ラップフィルムを容易に切断できる。また、第１切断部及び第２切断部は、蓋体における箱体に連結される側とは反対側の端縁の両端部にのみ設けられている。このため、巻芯の軸線に沿って蓋側重なり部の端縁全体に切断部が設けられている場合に比べて、第１切断部及び第２切断部の大きさが小さくなる。従って、第１収容部及び第２収容部は、第１切断部及び第２切断部をそれぞれ容易に収容できる。以上のように、ラップフィルム用箱は、ラップフィルムを容易に切断可能としつつ、第１切断部及び第２切断部を容易に収容できる。
【００１２】
ラップフィルム用箱において、箱側重なり部には、第１切断部を箱体の内部に向けて差し込み可能な第１スリット、及び第２切断部を箱体の内部に向けて差し込み可能な第２スリットが設けられ、第１収容部及び第２収容部は、第１スリット及び第２スリットが設けられた箱体によって構成されていてもよい。この場合、第１収容部及び第２収容部は、それぞれ第１スリット及び第２スリットを用いて第１切断部及び第２切断部を容易に収容できる。
【００１３】
ラップフィルム用箱は、箱側重なり部に対向するように配置され、箱側重なり部との間に第１切断部を差し込み可能な第１壁部と、箱側重なり部に対向するように配置され、箱側重なり部との間に第２切断部を差し込み可能な第２壁部と、を備え、第１収容部は、第１壁部及び箱側重なり部によって構成され、第２収容部は、第２壁部及び箱側重なり部によって構成されていてもよい。この場合、第１収容部及び第２収容部は、それぞれ第１切断部及び第２切断部が箱体内に突出することなく、第１切断部及び第２切断部を収容できる。
【００１４】
ラップフィルム用箱において、切断部は、蓋側重なり部よりも硬い材質によって形成され、蓋側重なり部に固定されていてもよい。この場合、ラップフィルム用箱は、切断部の耐久性を向上させることができる。
【００１５】
ラップフィルム用箱において、切断部は、蓋側重なり部の端縁に形成されたラップフィルムを切断するための切断構造によって構成されていてもよい。この場合、ラップフィルム用箱は、切断部として別の部材を設ける必要が無く、部品点数を削減できる。
【００１６】
本発明のさらに他の一側面はラップフィルム収容体であって、巻芯と、巻芯に巻き回されたラップフィルムと、巻芯及びラップフィルムを収容する上記のラップフィルム用箱と、を備える。
【００１７】
このラップフィルム収容体によれば、上記のラップフィルム用箱を備えているため、ラップフィルムを容易に切断可能としつつ、切断部を容易に収容できる。
【発明の効果】
【００１８】
本発明の種々の側面によれば、ラップフィルムを容易に切断可能としつつ、切断部を容易に収容できる。
【図面の簡単な説明】
【００１９】
【図１】第１実施形態に係るラップフィルム収容体の蓋体を開けた状態を示す斜視図である。
【図２】図１のＩＩ−ＩＩ線に沿った断面図である。
【図３】図１の切断部の取り付け状態を示す図である。
【図４】図１のラップフィルム収容体の切断部が収容された状態を示す正面図である。
【図５】図１のラップフィルム用箱からラップフィルムが引き出された状態を示す斜視図である。
【図６】第２実施形態に係るラップフィルム収容体の蓋体を開けた状態を示す斜視図である。
【図７】図６のＶＩＩ−ＶＩＩ線に沿った断面図である。
【図８】図６のラップフィルム収容体の切断部が収容された状態を示す正面図である。
【図９】第３実施形態に係るラップフィルム収容体の蓋体を開けた状態を示す斜視図である。
【図１０】図９のラップフィルム収容体の切断部が収容された状態を示す正面図である。
【図１１】切断部の変形例を示す正面図である。
【図１２】切断部の変形例を示す正面図である。
【発明を実施するための形態】
【００２０】
以下、本発明の実施形態について図面を参照しながら説明する。なお、図面の説明において同一の要素には同一の符号を付し、重複する説明を省略する。
【００２１】
（第１実施形態）
まず、ラップフィルム収容体の第１実施形態について説明する。図１及び図２に示されるように、第１実施形態に係るラップフィルム収容体１は、ラップフィルム用箱２、ラップフィルム巻回体３、及び切断部４を備えている。
【００２２】
ラップフィルム巻回体３は、筒状の巻芯３１、及び巻芯３１に巻き回されたラップフィルム３２を備えている。巻芯３１は、軸線Ｐに沿って延在する略円筒状の部材である。巻芯３１の材質は、例えばボール紙等の紙であってもよい。ラップフィルム３２は、例えば、樹脂フィルム等であってもよい。このラップフィルム３２は、例えば、食品の包装用等に用いられる。
【００２３】
ラップフィルム用箱２は、ラップフィルム巻回体３を収容する。ラップフィルム用箱２の材質は、例えばボール紙等の紙であってもよい。ラップフィルム用箱２は、箱体５、及び蓋体６を備えている。箱体５は、開口部５ａを有し、内部に直方体形状の収容空間を有する箱状の部材である。箱体５は、ラップフィルム巻回体３を収容する。
【００２４】
以下、説明の便宜上のため、箱体５の底壁部５１（図２参照）に対して開口部５ａが設けられている側を「上」とし、その反対側を「下」とする。また、ラップフィルム用箱２は、巻芯３１の軸線Ｐが水平方向に延在するようにラップフィルム巻回体３を収容する。すなわち、上下方向の軸と、軸線Ｐとは、互いに直交している。上下方向の軸と軸線Ｐとのそれぞれに直交する軸を前後方向の軸とする。ただし、これらの「上」、「下」、「前」、「後」、及び「水平」は、説明の便宜上のために付したものであり、この向きでラップフィルム収容体１が用いられることに限定されない。
【００２５】
箱体５は、底壁部５１、前壁部５２、後壁部５３、側壁部５４、及び側壁部５５を備えている。底壁部５１は、軸線Ｐに沿って延びる長方形の板状を呈している。底壁部５１は、表面及び裏面がそれぞれ上側及び下側を向くように配置されている、前壁部５２は、底壁部５１の前側の端縁に連結され、底壁部５１から上方に向かって立ち上がっている。後壁部５３は、底壁部５１の後ろ側の端縁に連結され、底壁部５１から上方に向かって立ち上がっている。すなわち、前壁部５２と後壁部５３とは、前後方向において互いに対向している。
【００２６】
側壁部５４は、底壁部５１における軸線Ｐに沿った方向の一方の端縁に連結され、底壁部５１から上方に向かって立ち上がっている。側壁部５４における前側の端縁及び後ろ側の端縁は、前壁部５２及び後壁部５３にそれぞれ連結されている。側壁部５５は、底壁部５１における軸線Ｐに沿った方向の他方の端縁に連結され、底壁部５１から上方に向かって立ち上がっている。側壁部５５における前側の端縁及び後ろ側の端縁は、前壁部５２及び後壁部５３にそれぞれ連結されている。すなわち、側壁部５４と側壁部５５とは、軸線Ｐに沿った方向において互いに対向している。
【００２７】
前壁部５２の上端縁、後壁部５３の上端縁、側壁部５４の上端縁、及び側壁部５５の上端縁によって囲まれる領域が、箱体５の内側と外側とをつなぐ開口部５ａとなる。また、前壁部５２の上端縁、後壁部５３の上端縁、側壁部５４の上端縁、及び側壁部５５の上端縁は、開口部５ａの開口縁５ｂとなる。ラップフィルム巻回体３は、開口部５ａを介して箱体５内に収容される。さらに、ラップフィルム巻回体３のラップフィルム３２は、開口部５ａを介して箱体５から引き出される。
【００２８】
蓋体６は、箱体５の開口部５ａを覆う。具体的には、蓋体６は、蓋本体部６１、及び蓋側重なり部６２を備えている。蓋本体部６１は、箱体５の開口縁５ｂのうち箱体５に収容されるラップフィルム巻回体３の巻芯３１の軸線Ｐに沿った部位に揺動可能に連結されている。本実施形態において、蓋本体部６１は、箱体５の開口縁５ｂのうち、後壁部５３の上端縁に連結されている。蓋本体部６１は、後壁部５３に対して揺動させられることにより、開口部５ａを覆うことができる。ここで、蓋本体部６１の端縁のうち、箱体５に連結される側の端縁を端縁６１ａと称し、端縁６１ａとは反対側の端縁（端縁６１ａに対向する端縁）を端縁６１ｂと称する。
【００２９】
蓋側重なり部６２は、蓋本体部６１の端縁６１ｂに連結される。蓋側重なり部６２は、蓋本体部６１によって開口部５ａが覆われたときに箱体５の外面に重ねられる（図５参照）。本実施形態において、蓋側重なり部６２は、前壁部５２の外面に重ねられる。このように、前壁部５２は、箱体５における蓋側重なり部６２が重ねられる部位である箱側重なり部となる。ここで、蓋側重なり部６２の端縁のうち、蓋本体部６１の端縁６１ｂに連結される側の端縁を端縁６２ａと称し、端縁６２ａとは反対側の端縁（端縁６２ａに対向する端縁）を端縁６２ｂと称する。
【００３０】
蓋本体部６１及び蓋側重なり部６２における軸線Ｐに沿った両端部には、連結部６３及び６４がそれぞれ設けられている。連結部６３は、蓋本体部６１の一方の端縁と蓋側重なり部６２の一方の端縁とを連結している。連結部６４は、蓋本体部６１の他方の端縁と蓋側重なり部６２の他方の端縁とを連結している。これにより、蓋本体部６１に対する蓋側重なり部６２の開き角度が変化しないように、蓋側重なり部６２が蓋本体部６１に連結される。
【００３１】
切断部４は、箱体５から引き出されたラップフィルム３２を切断する。切断部４は、蓋側重なり部６２の端縁６２ｂに設けられる。本実施形態において、切断部４は、第１切断部４１、及び第２切断部４２を備えている。第１切断部４１及び第２切断部４２は、蓋側重なり部６２の端縁６２ｂのうち、巻芯３１の軸線Ｐに沿った方向の両端部にそれぞれ設けられている。第１切断部４１は、端縁６２ｂのうち、軸線Ｐに沿った方向における側壁部５４側の端部に設けられている。第２切断部４２は、端縁６２ｂのうち、軸線Ｐに沿った方向における側壁部５５側の端部に設けられている。すなわち、第１切断部４１と第２切断部４２とは、軸線Ｐに沿った方向において互いに離間している。
【００３２】
図３に示されるように、第１切断部４１及び第２切断部４２は、蓋側重なり部６２の内面に固定されている。なお、図３は、蓋側重なり部６２を内面側から見た図である。すなわち、本実施形態において、第１切断部４１及び第２切断部４２は、蓋側重なり部６２とは別体として設けられている。また、本実施形態において、第１切断部４１及び第２切断部４２は、蓋側重なり部６２よりも硬い材質によって形成されている。第１切断部４１及び第２切断部４２の材質は、例えば、金属、樹脂等であってもよい。本実施形態において、第１切断部４１及び第２切断部４２は、鋸刃状の刃部を有している。第１切断部４１及び第２切断部４２は、鋸刃状の刃部が蓋側重なり部６２の端縁６２ｂから突出するように蓋側重なり部６２の内面に固定されている。第１切断部４１及び第２切断部４２は、鋸刃状の刃部によってラップフィルム３２を切断する。但し、第１切断部４１及び第２切断部４２は、ラップフィルム３２を切断できれば、鋸刃状以外の刃部を有していてもよい。
【００３３】
ここで、第１切断部４１及び第２切断部４２が設けられる端縁６２ｂの両端部とは、箱体５から引き出されたラップフィルム３２の幅方向の両端部（軸線Ｐに沿った方向の両端部）がそれぞれ第１切断部４１及び第２切断部４２に当接する位置である（図５参照）。ラップフィルム３２は、第１切断部４１又は第２切断部４２によって、端部に切り込みが入れられる。ラップフィルム３２は、第１切断部４１又は第２切断部４２によって設けられた切り込みを起点として、蓋側重なり部６２の端縁６２ｂに沿って切断される。このように、第１切断部４１及び第２切断部４２は、ラップフィルム３２の端部を切断することによって、ラップフィルム３２の端部に切り込みを設けることができればよい。このため、蓋側重なり部６２の端縁６２ｂの全域にわたって切断部４が設けられていなくてよい。
【００３４】
図１に示されるように、前壁部５２には、蓋側重なり部６２が重ねられたときに第１切断部４１を箱体５の内部に向けて差し込み可能なスリット（第１スリット）Ｓ１が設けられている。さらに、前壁部５２には、蓋側重なり部６２が重ねられたときに第２切断部４２を箱体５の内部に向けて差し込み可能なスリット（第２スリット）Ｓ２が設けられている。スリットＳ１は、前壁部５２のうち、軸線Ｐに沿った方向における側壁部５４側の端部に設けられている。スリットＳ２は、前壁部５２のうち、軸線Ｐに沿った方向における側壁部５５側の端部に設けられている。
【００３５】
スリットＳ１は、前壁部５２における側壁部５４に連結される側の端縁から前壁部５２における下側の端縁にわたって円弧状に延在している。スリットＳ１における軸線Ｐに沿った方向の長さは、第１切断部４１における軸線Ｐに沿った方向の長さよりも長い。スリットＳ２は、前壁部５２における側壁部５５に連結される側の端縁から前壁部５２における下側の端縁にわたって円弧状に延在している。スリットＳ２における軸線Ｐに沿った方向の長さは、第２切断部４２における軸線Ｐに沿った方向の長さよりも長い。
【００３６】
図４に示されるように、スリットＳ１には、蓋体６によって箱体５の開口部５ａが覆われたときに、第１切断部４１が設けられた蓋側重なり部６２の角部が上側から差し込まれる。これにより、第１切断部４１が箱体５内に収容される。すなわち、スリットＳ１が設けられた箱体５は、蓋体６の蓋側重なり部６２が箱体５の前壁部５２に重ねられたときに第１切断部４１を収容する収容部（第１収容部）として機能する。
【００３７】
同様に、スリットＳ２には、蓋体６によって箱体５の開口部５ａが覆われたときに、第２切断部４２が設けられた蓋側重なり部６２の角部が上側から差し込まれる。これにより、第２切断部４２が箱体５内に収容される。すなわち、スリットＳ２が設けられた箱体５は、蓋体６の蓋側重なり部６２が箱体５の前壁部５２に重ねられたときに第２切断部４２を収容する収容部（第２収容部）として機能する。
【００３８】
第１切断部４１及び第２切断部４２が設けられた蓋側重なり部６２の角部は、ラップフィルム収容体１が持ち運ばれるとき等、ラップフィルム収容体１の不使用時にスリットＳ１及びＳ２にそれぞれ差し込まれる。蓋側重なり部６２の角部がスリットＳ１及びＳ２に差し込まれることにより、ラップフィルム収容体１は、箱体５の開口部５ａが蓋体６によって閉じられた状態を維持することができる。すなわち、ラップフィルム巻回体３が箱体５から飛び出ることが防止される。
【００３９】
次に、図５を用いて、使用者がラップフィルム用箱２からラップフィルム３２を引き出して切断する手順について説明する。使用者は、第１切断部４１及び第２切断部４２が設けられた蓋側重なり部６２の角部をスリットＳ１及びＳ２から引き抜く。そして、使用者は、蓋体６を開け、箱体５から開口部５ａを介してラップフィルム３２を引き出す。ラップフィルム３２を引き出した後、使用者は、蓋体６を閉じて、箱体５の前壁部５２と蓋体６の蓋側重なり部６２とでラップフィルム３２を挟み込む。これにより、ラップフィルム３２が箱体５から引き出されることが規制される。そして、使用者は、引き出されたラップフィルム３２に対してラップフィルム用箱２をひねることによって、第１切断部４１又は第２切断部４２によってラップフィルム３２の一方の端部に切り込みを入れる。その後、使用者は、ラップフィルム用箱２をさらにひねり、ラップフィルム３２の端部に設けた切り込みを起点として、蓋側重なり部６２の端縁６２ｂに沿ってラップフィルム３２を切断する。なお、使用者は、ラップフィルム用箱２に対してラップフィルム３２をひねることによって、ラップフィルム３２を切断してもよい。
【００４０】
使用者は、ラップフィルム収容体１を使わないときには、蓋体６を閉じ、第１切断部４１及び第２切断部４２が設けられた蓋側重なり部６２の角部をスリットＳ１及びＳ２にそれぞれ差し込む。
【００４１】
以上のように、このラップフィルム収容体１では、蓋体６の蓋側重なり部６２の端縁６２ｂのうち、軸線Ｐに沿った方向の両端部にそれぞれ第１切断部４１及び第２切断部４２が設けられている。これにより、使用者は、ラップフィルム用箱２からラップフィルム３２を引き出して切断するときに、第１切断部４１又は第２切断部４２によってラップフィルム３２の幅方向のいずれか一方の端部に切り込みを入れ、この切り込みを起点としてラップフィルム３２を切断できる。第１切断部４１及び第２切断部４２が設けられているため、使用者は、利き手、ひねりの向き、種々の状況等に応じて第１切断部４１及び第２切断部４２のいずれかを用いてラップフィルム３２の幅方向の一方の端部に切り込みを入れることができる。このように、第１切断部４１又は第２切断部４２によってラップフィルム３２の端部に切り込みを入れることができるため、ラップフィルム収容体１は、ラップフィルム３２を容易に切断できる。また、第１切断部４１及び第２切断部４２は、蓋体６の蓋側重なり部６２の端縁６２ｂの両端部にのみ設けられている。このため、蓋体６の蓋側重なり部６２の端縁６２ｂ全体に切断部が設けられている場合に比べて、第１切断部４１及び第２切断部４２の大きさが小さくなる。従って、ラップフィルム収容体１は、スリットＳ１及びＳ２によって、第１切断部４１及び第２切断部４２を箱体５内に容易に収容できる。以上のように、ラップフィルム収容体１は、ラップフィルム３２を容易に切断可能としつつ、第１切断部４１及び第２切断部４２を容易に収容できる。
【００４２】
第１切断部４１及び第２切断部４２は、スリットＳ１及びＳ２に差し込まれることによって、箱体５内に収容される。このように、ラップフィルム収容体１は、スリットＳ１及びＳ２を用いて第１切断部４１及び第２切断部４２を容易に収容できる。
【００４３】
第１切断部４１及び第２切断部４２は、蓋側重なり部６２よりも硬い材質によって形成されている。これにより、ラップフィルム収容体１は、第１切断部４１及び第２切断部４２の耐久性を向上させることができる。
【００４４】
（第２実施形態）
次に、ラップフィルム収容体の第２実施形態について説明する。なお、以下の説明において、第１実施形態のラップフィルム収容体１と同様の構成要素については図面中に同一の符合を付して詳細な説明を省略する。図６及び図７に示されるように、第２実施形態に係るラップフィルム収容体１Ａは、ラップフィルム用箱２Ａ、ラップフィルム巻回体３、及び切断部４Ａを備えている。
【００４５】
切断部４Ａは、第１切断部４１Ａ、及び第２切断部４２Ａを備えている。第１切断部４１Ａ及び第２切断部４２Ａは、それぞれ第１実施形態に係る第１切断部４１及び第２切断部４２に対して軸線Ｐに沿った方向の長さが異なるだけで同じ構成である。
【００４６】
ラップフィルム用箱２Ａは、箱体５Ａ、及び蓋体６を備えている。箱体５Ａは、第１実施形態に係る箱体５に対し、前壁部５２にスリットＳ１及びＳ２が設けられていない。また、箱体５Ａは、第１実施形態に係る箱体５に対し、さらに、第１壁部（壁部）５６、及び第２壁部（壁部）５７を備えている。すなわち、箱体５Ａは、底壁部５１、前壁部５２、後壁部５３、側壁部５４、側壁部５５、第１壁部５６、及び第２壁部５７を備えている。第１壁部５６及び第２壁部５７の材質は、例えば、ラップフィルム用箱２の材質と同じボール紙等の紙であってもよい。
【００４７】
第１壁部５６は、前壁部５２の外面に対向するように配置されている。第１壁部５６は、前壁部５２のうち、軸線Ｐに沿った方向における側壁部５４側の端部、かつ前壁部５２の下側の端部に対向するように設けられている。すなわち、第１壁部５６は、前壁部５２における側壁部５４側かつ下側の角部に対向するように設けられている。第１壁部５６と前壁部５２との間には、第１切断部４１Ａが設けられた蓋側重なり部６２の角部を差し込み可能な隙間が設けられている。第１壁部５６の下側の端縁と、第１壁部５６の側壁部５４側の端縁は、それぞれ前壁部５２の端縁に連結されている。図８に示されるように、第１壁部５６と前壁部５２との隙間には、第１切断部４１Ａが設けられた蓋側重なり部６２の角部が上側から差し込まれる。第１壁部５６における軸線Ｐに沿った方向の長さは、第１切断部４１Ａにおける軸線Ｐに沿った方向の長さよりも長い。このように、第１壁部５６及び前壁部５２は、蓋体６の蓋側重なり部６２が箱体５Ａの前壁部５２に重ねられたときに第１切断部４１Ａを収容する収容部（第１収容部）として機能する。
【００４８】
第２壁部５７は、前壁部５２の外面に対向するように配置されている。第２壁部５７は、前壁部５２のうち、軸線Ｐに沿った方向における側壁部５５側の端部、かつ前壁部５２の下側の端部に対向するように設けられている。すなわち、第２壁部５７は、前壁部５２における側壁部５５側かつ下側の角部に対向するように設けられている。第２壁部５７と前壁部５２との間には、第２切断部４２Ａが設けられた蓋側重なり部６２の角部を差し込み可能な隙間が設けられている。第２壁部５７の下側の端縁と、第２壁部５７の側壁部５５側の端縁は、それぞれ前壁部５２の端縁に連結されている。図８に示されるように、第２壁部５７と前壁部５２との隙間には、第２切断部４２が設けられた蓋側重なり部６２の角部が上側から差し込まれる。第２壁部５７における軸線Ｐに沿った方向の長さは、第２切断部４２Ａにおける軸線Ｐに沿った方向の長さよりも長い。このように、第２壁部５７及び前壁部５２は、蓋体６の蓋側重なり部６２が箱体５Ａの前壁部５２に重ねられたときに第２切断部４２Ａを収容する収容部（第２収容部）として機能する。
【００４９】
以上のように、ラップフィルム収容体１Ａは、前壁部５２に対向するように配置された第１壁部５６及び第２壁部５７を用いて、第１切断部４１Ａ及び第２切断部４２Ａを容易に収容できる。従って、ラップフィルム収容体１Ａは、第１実施形態に係るラップフィルム収容体１と同様に、ラップフィルム３２を容易に切断可能としつつ、第１切断部４１Ａ及び第２切断部４２Ａを容易に収容できる。また、ラップフィルム収容体１Ａは、第１切断部４１Ａ及び第２切断部４２Ａを箱体５Ａ内に突出させることなく、第１切断部４１Ａ及び第２切断部４２Ａを収容できる。
【００５０】
以上、本発明の種々の実施形態について説明したが、本発明は、上記実施形態に限定されるものではない。例えば、第１実施形態に係るスリットＳ１及びＳ２の形状は、上述した形状に限定されない。例えば、図９及び図１０に示されるラップフィルム収容体１Ｂのように、上側に向けて円弧状に湾曲するスリット（第１スリット）Ｓ１１及びスリット（第２スリット）Ｓ１２が前壁部５２に設けられていてもよい。この場合であっても、ラップフィルム収容体１Ｂは、第１切断部４１及び第２切断部４２をスリットＳ１１及びＳ１２にそれぞれ差し込むことによって、第１切断部４１及び第２切断部４２を箱体５内に収容できる。
【００５１】
ラップフィルム３２を切断する第１切断部４１等は、蓋体６の蓋側重なり部６２とは別体として設けられていることに限定されない。例えば、図１１に示されるように、第１切断部４１Ｂは、蓋側重なり部６２の端縁６２ｂに形成された鋸刃状の切断構造Ｄ１によって構成されていてもよい。切断構造Ｄ１は、ラップフィルム３２を切断するための構造である。すなわち、蓋側重なり部６２自体が、第１切断部４１Ｂとしての機能を兼ねていてもよい。また、例えば、図１２に示されるように、第１切断部４１Ｃは、蓋側重なり部６２の端縁６２ｂに形成されたナイフ刃状の切断構造Ｄ２によって構成されていてもよい。切断構造Ｄ２は、ラップフィルム３２を切断するための構造である。このナイフ刃状の切断構造Ｄ２は、端縁６２ｂを他の部位よりも薄くすることによって形成されている。すなわち、蓋側重なり部６２自体が、第１切断部４１Ｃとしての機能を兼ねていてもよい。この場合、ラップフィルム収容体は、蓋側重なり部６２自体が切断部としての機能を兼ねるため、切断部として蓋側重なり部６２とは異なる部材を設ける必要が無く、部品点数を削減できる。なお、蓋側重なり部６２の端縁６２ｂに形成される切断構造は、鋸刃状及びナイフ刃状であることに限定されず、他の形状であってもよい。
【００５２】
また、上述した実施形態及び変形例では、蓋体６の蓋側重なり部６２に切断部が２つ設けられていたが、軸線Ｐに沿った方向の一方の端部にのみ切断部が設けられていてもよい。この場合であっても、ラップフィルム収容体は、蓋側重なり部６２の一方の端部に設けられた切断部によって、ラップフィルム３２の幅方向の一方の端部に切断の起点となる切り込みを設けることができる。
【符号の説明】
【００５３】
１，１Ａ，１Ｂ…ラップフィルム収容体、２，２Ａ…ラップフィルム用箱、４，４Ａ…切断部、５，５Ａ…箱体（収容部、第１収容部、第２収容部）、５ａ…開口部、５ｂ…開口縁、６…蓋体、３１…巻芯、３２…ラップフィルム、４１，４１Ａ，４１Ｂ，４１Ｃ…第１切断部（切断部）、４２，４２Ａ…第２切断部（切断部）、５２…前壁部（箱側重なり部、収容部、第１収容部、第２収容部）、５６…第１壁部（壁部、収容部、第１収容部）、５７…第２壁部（壁部、収容部、第２収容部）、６１…蓋本体部、６２…蓋側重なり部、Ｄ１，Ｄ２…切断構造、Ｐ…軸線、Ｓ１，Ｓ１１…スリット（第１スリット）、Ｓ２，Ｓ１２…スリット（第２スリット）。
【図１】
2019182462.tif 000003
【図２】
2019182462.tif 000004
【図３】
2019182462.tif 000005
【図４】
2019182462.tif 000006
【図５】
2019182462.tif 000007
【図６】
2019182462.tif 000008
【図７】
2019182462.tif 000009
【図８】
2019182462.tif 000010
【図９】
2019182462.tif 000011
【図１０】
2019182462.tif 000012
【図１１】
2019182462.tif 000013
【図１２】
2019182462.tif 000014